(57)【要約】      （修正有）【課題】高気温下での作業や運動から引き起こされる熱中症対策として比較的薄手で柔軟性を持つ生地から作製される衣服の着用者に対して快適な作業環境を提供する。【解決手段】後身頃１２の幅方向の略中央部に開口を有する上衣１０と、前記開口に着脱自在に装着されて前記上衣内に外気を送り込む１つのファン２０とバッテリ２１と、を具備することを特徴とするファン付き衣服により、身体を冷却することができる。【選択図】図１
0003232085.tif 000002
【実用新案登録請求の範囲】
【請求項１】
後身頃の幅方向の略中央部に開口を有する上衣と、
前記開口に着脱自在に装着されて前記上衣内に外気を送り込む１つのファンと、
を具備することを特徴とするファン付き衣服。
【請求項２】
前記上衣が半袖のポロシャツ、Ｔシャツ及びスクラブのいずれかであること、
を特徴とする請求項１に記載のファン付き衣服。
【請求項３】
前記ファンの重量が３０ｇ以上５０ｇ以下であること、
を特徴とする請求項１又は２に記載のファン付き衣服。
【請求項４】
前記ファンの直径が６ｃｍ以上１０ｃｍ以下であること、
を特徴とする請求項１〜３のいずれかに記載のファン付き衣服。
【請求項５】
前記ファンの中心点が、前記後身頃の裾から上方１０ｃｍ以上３０ｃｍ以下に位置すること、
を特徴とする請求項１〜４のいずれかに記載のファン付き衣服。
【考案の詳細な説明】
【技術分野】
【０００１】
本考案は、利用者の身体を好適に冷却可能なファン付き衣服に関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが重要であり、処置が遅れると死に至るケースもある。
【０００３】
上記のような熱中症対策及び快適な作業環境を提供するために、身体を冷却しつつ作業を可能とする空調衣服が知られている（例えば、特許文献１参照）。かかる空調衣服は、左右の腰部に開口を有する上衣と、それら開口に装着された２つのファンと、を含んでいる。
【先行技術文献】
【特許文献】
【０００４】
【特許文献１】国際公開第０２／０６７７０８号パンフレット
【考案の概要】
【考案が解決しようとする課題】
【０００５】
２個のファンはそれなりの重量（例えば２００ｇ）を有するため、例えばポロシャツやＴシャツなど、比較的薄手で柔軟性を持つ生地から作製される衣服には適さない。このように従来の空調衣服には解決すべき課題が未だ残っている。
【０００６】
そこで、本考案の目的は、比較的薄手で柔軟性を持つ生地から作製される衣服の着用者に対しても熱中症対策及び快適な作業環境を提供することにある。
【課題を解決するための手段】
【０００７】
上記の課題を解決すべく、本考案は、
後身頃の幅方向の略中央部に開口を有する上衣と、
前記開口に着脱自在に装着されて前記上衣内に外気を送り込む１つのファンと、
を具備することを特徴とするファン付き衣服
を提供する。
【０００８】
本考案のファン付き衣服においては、前記上衣が半袖のポロシャツ、Ｔシャツ及びスクラブのいずれかであること、が好ましい。
【０００９】
また、本考案のファン付き衣服においては、前記ファンの重量が３０ｇ以上５０ｇ以下であること、が好ましい。また、前記ファンの直径が６ｃｍ以上１０ｃｍ以下であること、が好ましい。
【００１０】
また、本考案のファン付き衣服においては、前記ファンの中心点が、前記後身頃の裾から上方１０ｃｍ以上３０ｃｍ以下に位置すること、が好ましい。
【考案の効果】
【００１１】
本考案によれば、例えばポロシャツやＴシャツなど、比較的薄手で柔軟性を持つ生地から作製される衣服の着用者に対して熱中症対策及び快適な作業環境を提供することができる。加えて、１個のファンが衣服において占める範囲は２個のファンよりも小さく、目立ちにくいため、ファッショナブルな衣服にも容易に適用できる。
【図面の簡単な説明】
【００１２】
【図１】本考案の代表的な実施形態に係るファン付き衣服１の概略図である。
【図２】上衣１０の前面及び背面を示す図である。
【図３】本実施形態の変形例１に係るファン付き衣服２の概略図である。
【図４】本実施形態の変形例２に係るファン付き衣服３の概略図である。
【考案を実施するための形態】
【００１３】
以下、本考案に係るファン付き衣服の代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１４】
図１に示すように、本実施形態に係るファン付き衣服１は、上衣１０及びファン２０を備える。
【００１５】
上衣１０は、比較的薄手で柔軟性を持つ生地から作製される。生地の素材としては、綿、ポリエステル、これらの混合素材が好適に用いられるが、これらに限られない。また、生地は、平織、綾織などの織物でもよいし、天竺編、鹿の子編、フライス編などの編物でもよいし、メッシュ生地でもよい。
【００１６】
本実施形態では、上衣１０としてポロシャツを想定しているが、これに限られない（変形例１，２参照）。上衣１０は、半袖の上衣であるが、長袖の上衣でもよいし、袖なしの上衣でもよい。半袖の上衣の場合、ファン２０から吸い込まれた外気（空気）を襟ぐり及び袖からも外部に排出できるため、冷却効果に更に優れる。
【００１７】
図２（Ａ），（Ｂ）に示すように、上衣１０は、前身頃１１及び後身頃１２を含むところ、後身頃１２の幅方向略中央部に開口１３を有する。開口１３は１つを想定しているが、複数の開口でも構わない（例えば胸部と背部に１つずつ）。もっとも、本考案の最良の実施形態では、開口１３及びファン２０はそれぞれ１つで、最も効率良く本考案の作用効果を奏する。
【００１８】
開口１３を形成する縁部には、開口１３の保護及び補強のために環状体１４が設けられることが好ましい。また、環状体１４を面ファスナで構成することで、開口１３にファン２０を装着しない場合に、開口１３をカバー（図示せず）で覆うことができる。
【００１９】
開口１３にはファン２０が着脱自在に装着される（図１参照）。ファン２０は、バッテリ２１から電力の供給を受けて、外気を上衣１０内に供給する。上衣１０には、バッテリ２１を収納するためのポケット（図示せず）が設けられていてもよい。
【００２０】
本実施形態では、ファン２０の重みでポロシャツがたるむ（下方に伸びる）ことを防止するべく、開口１３に小型のファン２０が装着される。より具体的には、ファン２０の重量は３０ｇ以上５０ｇ以下が好ましく、ファン２０の厚みは２ｃｍ以上３ｃｍ以下が好ましく、ファン２０の直径は６ｃｍ以上１０ｃｍ以下が好ましい。
【００２１】
本実施形態に係るファン付き衣服１では、上衣１０の後身頃１２に形成された開口１３にファン２０を装着し、バッテリ２１と接続することで送風可能となる。そして、ファン付き衣服１内に外気が吹き込まれ、衣服内で空気が循環し、気化熱効果で着用者の身体、特に背中を冷却する。
【００２２】
ここで、ファン２０は小型で軽量であるため、ファン２０の重みによる上衣１０（後身頃１３）の変形が効果的に抑制される。したがって、ファン付き衣服１は、ゴルフなどのスポーツ、アウトドア、外食のユニホームなどの比較的薄手で柔軟な衣服のために熱中症対策商品として使用することができる。
【００２３】
更にはファン２０の中心点が、後身頃１２の裾から上方１０ｃｍ以上３０ｃｍ以下に位置することが、ファン２０の冷却効率や後身頃１２のたるみ抑制の観点から好ましい。ファン２０の冷却効率や後身頃１２のたるみ抑制をより確実に担保するため、ファン２０の中心点は、後身頃１２の裾から上方１５ｃｍ以上２５ｃｍ以下に位置するのが更に好ましい。
【００２４】
本実施形態の変形例として、ポロシャツの他に、例えば、Ｔシャツ２，スクラブ３（半袖で首元がVネックとなっている医療用白衣）の上衣３０，４０の後身頃３２，４２に穴空け加工を施して、ファン２０を取り付けることが可能である（図３、図４参照）。つまり、１個のファン２０が衣服において占める範囲は２個のファンよりも小さく軽量であるため、ファン２０をいわゆるおしゃれ着に適用しても、ファッション性を妨げないし、また、医療等の作業の邪魔にならない。
【００２５】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【符号の説明】
【００２６】
１，２，３        ファン付き衣服
１０，３０，４０  上衣
１３              開口
２０              ファン
【図１】
0003232085.tif 000003
【図２】
0003232085.tif 000004
【図３】
0003232085.tif 000005
【図４】
0003232085.tif 000006